(57)【要約】【課題】  本発明は、２枚の羽根を１個のコイルで回動させてシャッタ動作あるいは絞り動作を行うことができる小型が可能な光量調整装置を提供すること。【解決手段】  本発明の光量調整装置は、ベース部材３には、回動部材６を回動自在に支持可能な回動支持部５ａが形成され、回動部材６は、回動支持部５ａに支持した支持部６ｆを支点として一端部側の第１羽根操作部６ｃと他端部側の第２羽根操作部６ｅとがシーソー状に回動可能になっており、羽根部材９、１０は、羽根摺動面３ｂ、３ｃ上に開口部３ａを挟んで一対配設され、この一対の羽根部材９、１０は、回動部材６のシーソー状の回動に連動して、開口部３ａを遮蔽する方向、または開口部３ａを開放する方向に回動可能になっている。【選択図】        図１
2006072021.tif 000002
【特許請求の範囲】
【請求項１】
所定の口径の開口部が形成された羽根摺動面を有するベース部材と、前記羽根摺動面上に載置されて前記開口部を開閉する方向に回動操作可能な羽根部材と、前記開口部を開閉可能に前記羽根部材を回動操作可能な回動部材とを備え、前記ベース部材には、前記回動部材を回動自在に支持可能な回動支持部が形成され、前記回動部材は、前記回動支持部に支持した支持部を支点として一端部側と他端部側とが回動可能になっており、
前記羽根部材は、前記羽根摺動面上に前記開口部を挟んで一対配設され、この一対の羽根部材は、前記回動部材の回動に連動して、前記開口部を遮蔽する方向、または前記開口部を開放する方向に回動可能になっていることを特徴とする光量調整装置。
【請求項２】
前記ベース部材には、前記羽根摺動面の一部に前記回動部材を回動自在に保持可能な保持部が形成され、この保持部に前記回動支持部が形成され、前記保持部に位置する前記回動部材は、重心位置、または重心位置に近い部分に前記支持部を形成したことを特徴とする請求項１記載の光量調整装置。
【請求項３】
前記一対の羽根部材は、前記開口部を挟んで前記羽根摺動面上の一方側に配設された第１の羽根部材と、他方側に配設された第２の羽根部材とからなり、前記開口部を挟んで互いに対向する位置の前記保持部と前記羽根摺動面とが接する部分に、前記第１の羽根部材を支持可能な第１羽根支持部と前記第２の羽根部材を支持可能な第２羽根支持部とが形成されていることを特徴とする請求項２記載の光量調整装置。
【請求項４】
前記羽根摺動面は、前記第１羽根部材が摺動可能な第１羽根摺動面と前記第２羽根部材が摺動可能な第２羽根摺動面とが形成され、前記第１、第２羽根摺動面は、それぞれ高さが異なる段差状に形成されていることを特徴とする請求項３記載の光量調整装置。
【請求項５】
前記回動部材は、一端部側に前記第１の羽根部材に係合可能な第１羽根操作部が形成され、他端部側に前記第２の羽根部材に係合可能な第２羽根操作部が形成され、前記第１の羽根部材には、前記第１羽根支持部に支持可能な第１支持部が形成されると共に、前記第１支持部近傍に前記第１羽根操作部が係合可能な第１操作部が形成され、前記第２の羽根部材には、前記第２羽根支持部に支持可能な第２支持部が形成されると共に、前記第２支持部近傍に前記第２羽根操作部が係合可能な第２操作部が形成されていることを特徴とする請求項３、または４記載の光量調整装置。
【請求項６】
前記第１、第２の羽根部材は、前記第１、第２支持部が丸孔状に形成されると共に、前記第１、第２操作部が長孔状に形成され、前記第１、第２羽根支持部、および前記第１、第２羽根操作部は、それぞれ突起状に形成されていることを特徴とする請求項５記載の光量調整装置。
【請求項７】
前記回動部材には、前記支持部を有する回動基部が形成され、この回動基部には、前記支持部を挟んで着磁方向が異なる一対のマグネットが固着され、このマグネットと対向する側には、一方の巻線部と他方の巻線部とが所定の隙間を有して対向する略楕円状に形成されたコイルが配設され、このコイルの前記一方の巻線部と対向する側に前記一対のマグネットが配設され、
前記コイルに通電して発生する磁束が前記一対のマグネットの磁極の磁束に作用することにより、前記回動部材が前記支持部を支点として回動するようにしたことを特徴とする請求項１乃至６のいずれかに記載の光量調整装置。
【請求項８】
前記ベース部材の前記羽根摺動面上には、回動する前記第１、第２の羽根部材の上方を覆うトップカバーが配設され、このトップカバーには、前記回動部材の前記第１、第２羽根操作部が回動可能な楕円孔が形成されていることを特徴とする請求項３乃至７のいずれかに記載の光量調整装置。
【発明の詳細な説明】
【技術分野】
【０００１】
本発明は、光量調整装置に係わり、デジタルムービーカメラあるいはデジタルスチルカメラ等に用いて好適な光量調整装置に関する。
【背景技術】
【０００２】
従来の光量調整装置を、特許文献１に基づいて説明すると、図３、図４に示すように、矩形状の地板５０には、丸孔からなる所定の口径の開口部５０ａが貫通形成されている。前記地板５０上には、第１、第２羽根５１、５２がスライド自在に載置されている。
また、第１絞り羽根５１の一端部（図示手前）側には長孔５１ａが、他端部（図示奥側）には三角状の絞り部５１ｂが形成され、第２絞り羽根５２の一端部側には長孔５２ａが、他端部側には丸穴状の絞り孔５２ｂが形成されている。
【０００３】
また、第１、第２羽根５１、５２上には、丸孔状の開口部５３ａを有するカバー５３が配設されている。
前記第１、第２羽根５１、５２の長孔５１ａ、５２ａには、アーム５４のピン５４ａ、５４ｂが係合しており、アーム５４が右方向、あるいは左方向に回動することで第１、第２羽根５１、５２が開口部５０ａ、５３ａを遮蔽したり開放したりするようになっている。
また、地板５０には、ボス５０ｂが突出形成され、このボス５０ｂにスプリング５５が巻回されている。また、ボス５０ｂの孔５０ｃには、回転軸５６が挿通支持され、この回転軸５６にアーム５４の回動中心の圧入孔５４ｃが圧入等で固着されている。
【０００４】
前記回転軸５６は、円筒状のヨーク５７の内部に配設した駆動コイル５８ａを有する駆動コイル枠５８と、制動コイル５９ａを有する制動コイル枠５９とに挟まれて、下端部にロータマグネット（図示せず）が取り付けられている。
そして、ロータマグネットを駆動させて回転軸５６は、例えば反時計回り方向に回動して、アーム５４も同方向に回動し、第１羽根５１が矢印Ａ方向にスライドすると共に、第２羽根５２が第１羽根５１と反対方向の矢印Ｂ方向にスライドする。このことにより、絞り部５１ｂと絞り孔５２ｂとにより、開口部５０ａ、５３ａを絞り込んで絞り動作を行うことができる。
あるいは、開口部５０ａ、５３ａを完全に遮蔽してシャッタ動作を行うことができる。
【特許文献１】実用新案登録  第２５０２００５号公報
【発明の開示】
【発明が解決しようとする課題】
【０００５】
しかし、前述したような従来の光量調整装置は、第１、第２羽根５１、５２が矢印Ａ方向あるいは矢印Ｂ方向の直線状にスライドするようになっているために、装置全体がスライド方向に横長状となって大型化する問題があった。
また、ロータマグネットを回動駆動するために、２つのコイル５８ａ、５９ａを配設しているので、駆動部分が大型となり、更に装置全体が大型化する問題があった。
本発明は、前述したような課題を解決するためのものであり、２枚の羽根を１個のコイルで回動させてシャッタ動作あるいは絞り動作を行うことができる小型化が可能な光量調整装置を提供することを目的とする。
【課題を解決するための手段】
【０００６】
前記課題を解決するための第１の解決手段として本発明の光量調整装置は、所定の口径の開口部が形成された羽根摺動面を有するベース部材と、この前記羽根摺動面上に載置されて前記開口部を開閉する方向に回動操作可能な羽根部材と、前記開口部を開閉可能に前記羽根部材を回動操作可能な回動部材とを備え、前記ベース部材には、前記回動部材を回動自在に支持可能な回動支持部が形成され、前記回動部材は、前記回動支持部に支持した支持部を支点として一端部側と他端部側とが回動可能になっており、
前記羽根部材は、前記羽根摺動面上に前記開口部を挟んで一対配設され、この一対の羽根部材は、前記回動部材の回動に連動して、前記開口部を遮蔽する方向、または前記開口部を開放する方向に回動可能になっていることを特徴とする。
【０００７】
また、前記課題を解決するための第２の解決手段として、前記ベース部材には、前記羽根摺動面の一部に前記回動部材を回動自在に保持可能な保持部が形成され、この保持部に前記回動支持部が形成され、前記保持部に位置する前記回動部材は、重心位置、または重心位置に近い部分に前記支持部を形成したことを特徴とする。
【０００８】
また、前記課題を解決するための第３の解決手段として、前記一対の羽根部材は、前記開口部を挟んで前記羽根摺動面上の一方側に配設された第１の羽根部材と、他方側に配設された第２の羽根部材とからなり、前記開口部を挟んで互いに対向する位置の前記保持部と前記羽根摺動面とが接する部分に、前記第１の羽根部材を支持可能な第１羽根支持部と前記第２の羽根部材を支持可能な第２羽根支持部とが形成されていることを特徴とする。
【０００９】
また、前記課題を解決するための第４の解決手段として、前記羽根摺動面は、前記第１羽根部材が摺動可能な第１羽根摺動面と前記第２羽根部材が摺動可能な第２羽根摺動面とが形成され、前記第１、第２羽根摺動面は、それぞれ高さが異なる段差状に形成されていることを特徴とする。
【００１０】
また、前記課題を解決するための第５の解決手段として、前記回動部材は、一端部側に前記第１の羽根部材に係合可能な第１羽根操作部が形成され、他端部側に前記第２の羽根部材に係合可能な第２羽根操作部が形成され、前記第１の羽根部材には、前記第１羽根支持部に支持可能な第１支持部が形成されると共に、前記第１支持部近傍に前記第１羽根操作部が係合可能な第１操作部が形成され、前記第２の羽根部材には、前記第２羽根支持部に支持可能な第２支持部が形成されると共に、前記第２支持部近傍に前記第２羽根操作部が係合可能な第２操作部が形成されていることを特徴とする。
【００１１】
また、前記課題を解決するための第６の解決手段として、前記第１、第２の羽根部材は、前記第１、第２支持部が丸孔状に形成されると共に、前記第１、第２操作部が長孔状に形成され、前記第１、第２羽根支持部、および前記第１、第２羽根操作部は、それぞれ突起状に形成されていることを特徴とする。
【００１２】
また、前記課題を解決するための第７の解決手段として、前記回動部材には、前記支持部を有する回動基部が形成され、この回動基部には、前記支持部を挟んで着磁方向が異なる一対のマグネットが固着され、このマグネットと対向する側には、一方の巻線部と他方の巻線部とが所定の隙間を有して対向する略楕円状に形成されたコイルが配設され、このコイルの前記一方の巻線部と対向する側に前記一対のマグネットが配設され、
前記コイルに通電して発生する磁束が前記一対のマグネットの磁極の磁束に作用することにより、前記回動部材が前記支持部を支点として回動するようにしたことを特徴とする。
【００１３】
また、前記課題を解決するための第８の解決手段として、前記ベース部材の前記羽根摺動面上には、回動する前記第１、第２の羽根部材の上方を覆うトップカバーが配設され、このトップカバーには、前記回動部材の前記第１、第２羽根操作部が回動可能な楕円孔が形成されていることを特徴とする。
【発明の効果】
【００１４】
本発明の光量調整装置の羽根部材は、羽根摺動面上に開口部を挟んで一対配設され、この一対の羽根部材は、回動部材の回動に連動して、開口部を遮蔽する方向、または開口部を開放する方向に回動可能になっているので、アクチュエータである１個の回動部材で２枚の羽根部材を回動させてシャッタ動作、または絞り動作を行うことができ、構造が簡単で操作性に優れた光量調整装置を提供できる。
【００１５】
また、ベース部材には、記羽根摺動面の一部に回動部材を回動自在に保持可能な保持部が形成され、この保持部に回動支持部が形成され、保持部に位置する回動部材は、重心位置、または重心位置に近い部分に支持部を形成したので、外部から衝撃が加わったとしても、回動部材が回動するのを防止することができる。
そのために、操作中以外に、羽根部材が回動するのを防止できる。
【００１６】
また、開口部を挟んで互いに対向する位置の保持部と羽根摺動面とが接する部分に、第１の羽根部材を支持可能な第１羽根支持部と第２の羽根部材を支持可能な第２羽根支持部とが形成されているので、第１、第２の羽根部材が開口部を開閉可能に確実に回動させることができる。
【００１７】
また、羽根摺動面は、第１羽根部材が摺動可能な第１羽根摺動面と第２羽根部材が摺動可能な第２羽根摺動面とが形成され、第１、第２羽根摺動面は、それぞれ高さが異なる段差状に形成されているので、回動する第１、第２の羽根部材が干渉するのを防止できる。
【００１８】
また、第２の羽根部材には、第２羽根支持部に支持可能な第２支持部が形成されると共に、第２支持部近傍に第２羽根操作部が係合可能な第２操作部が形成されているので、回動部材の小さな回動で、第１、第２の羽根部材を大きく回動させることができ、シャッタ速度を速くすることができる。
また、ベース部材の外径を小さくすることができ、小型の光量調整装置を提供できる。
【００１９】
また、第１、第２の羽根部材は、第１、第２支持部が丸孔状に形成されると共に、第１、第２操作部が長孔状に形成され、第１、第２羽根支持部、および第１、第２羽根操作部は、それぞれ突起状に形成されているので、第１、第２の羽根部材を確実に回動部材で回動させることができる。
【００２０】
また、コイルに通電して発生する磁束がマグネットの一方と他方の磁極の磁束に作用することにより、回動部材が支持部を支点として回動するようにしたので、アクチュエータである回動部材を小さなマグネットとコイルとで確実に回動させることができ、小型が可能な光量調整装置を提供できる。
【００２１】
また、ベース部材の羽根摺動面上には、回動する第１、第２の羽根部材の上方を覆トップカバーが配設され、このトップカバーには、回動部材の第１、第２羽根操作部が回動可能な楕円孔が形成されているので、回動する回動部材を確実にガイドすることができる。
【発明を実施するための最良の形態】
【００２２】
以下、本発明に関する光量調整装置の実施の形態を図１、図２に基づいて説明する。図１は本発明の光量調整装置の分解斜視図であり、図２は図１の要部斜視図である。
まず、本発明の光量調整装置の最下部には、材質が鋼板等の磁性材料で形成された、外形が円形状のボトムカバー１が配設されている。前記ボトムカバー１は、中央部に円形状の開口１ａが形成されてドーナッツ状をなしている。
また、ボトムカバー１の図示右側上方には、薄板状で略楕円状に巻回されたコイル２が配設され、このコイル２は、一方の巻線部２ａと他方の巻線部２ｂとが所定の隙間を有して対向する略楕円状に形成されている。
また、コイル２には、図示を省略したＦＰＣ（フレキシブル基板）に電気的に接続されて、ＦＰＣがボトムカバー１の外部に引き出しされている。
【００２３】
また、ボトムカバー１上には、外径がボトムカバー１と略同じ大きさに成された樹脂材料からなるベース部材３が配設され、このベース部材３は、所定厚さに形成されて、中央部に所定の口径からなる開口部３ａが形成されている。
また、ベース部材３の上面には、平坦状の羽根摺動面が形成され、この羽根摺動面は、開口部３ａを挟んで図示左側の一方側に面積の大きな第１羽根摺動面３ｂと、図示右側の他方側に面積の小さな第２羽根摺動面３ｃとが形成されている。
【００２４】
前記第１、第２羽根摺動面３ｂ、３ｃは、後述する第１、第２の羽根部材９、１０の厚さより若干プラス寸法の段差部３ｄが形成されて、第１摺動面３ｂより第２摺動面３ｃが高くなっている。
即ち、第１、第２羽根摺動面３ｂ、３ｃは、それぞれの高さが異なる段差状に形成されている。
そのために、第１羽根摺動面３ｂ上に位置する後述する第１の羽根部材９と、第２羽根摺動面３ｃ上に位置する後述する第２の羽根部材１０とが、回動しても干渉しないようになっている。
【００２５】
また、面積が小さな第２羽根摺動面３ｃは、この第２羽根摺動面３ｃと同形状でふくらみ形成された突部３ｅの表面に形成され、この突部３ｅの外周には、後述する回動部材６を回動自在に保持可能な所定の幅寸法で円弧状の保持部４が開放形成され、この保持部４は、ベース部材３の外周壁３ｆに囲まれて空洞状に形成されている。
また、保持部４には、突部３ｅと外周壁３ｆとの間に桟部５が橋渡し形成され、この桟部５に丸孔状の回動支持部５ａが形成されている。そして、桟部５の下面に略楕円状のコイル２が接着剤等で固着されている。
また、保持部４と第１羽根摺動面３ｂとが接する部分で、開口部３ａを挟んで図示前後方向に互いに対向する位置に、第１羽根支持部３ｇと第２羽根支持部３ｈとが突出形成されている。
【００２６】
また、保持部４の桟部５上には、回動部材６が配設されており、この回動部材６は、回動基部６ａの図示奥側の一端部側から図示左方向に延びる第１腕部６ｂの端部側に第１羽根操作部６ｃが突出形成されている。また、回動基部６ａの図示手前側の他端部側から第１腕部６ｂと同方向に延びて第２腕部６ｄの端部側に第２羽根操作部６ｅが突出形成されている。
前記回動部材の重心位置、重心位置に近い部分の回動基部６ａには、支持部６ｆが上下に突出形成されている。
そして、ベース部材３の桟部５上に載置して保持部４内に保持した回動部材６は、回動基部６ａから下方に突出する支持部６ｆが、回動支持部５ａに嵌合して、支持部６ｆを支点として一端部側と他端部側とがシーソー状に回動可能になっている。
【００２７】
また、回動部材６の回動基部６ａの下面側には、支持部６ｆを挟んで、着磁方向が異なる一方と他方の磁極が着磁された一対の第１、第２マグネット７、８が接着剤等で固着されている。そして、例えば第１マグネット７がＮ極に、第２マグネット８がＳ極に、それぞれ異なる磁極が着磁されている、
前記第１、第２マグネット７、８は、コイル２の一方の巻線部２ａと対向する位置の回動部材６に固着されている。
また、第１、第２マグネット７、８を固着した回動部材６は、支持部６ｆをベース部材３の回動支持部５ａに支持すると、第１、第２マグネット７、８とコイル２との間に所定の隙間が形成されるようになっている。
【００２８】
また、ベース部材３の面積の大きな第１羽根摺動面３ｂ上には、横長状の第１の羽根部材９が載置され、この第１の羽根部材９には、ベース部材３の第１羽根支持部３ｇに嵌合可能な丸穴状の第１支持部９ａが形成され、第１支持部９ａを第１羽根支持部３ｇに嵌合させて、第１羽根摺動面３ｂ上に載置した第１の羽根部材９は、第１羽根支持部３ｇを支点として回動可能になっている。
また、第１の羽根部材９には、第１支持部９ａの図示手前側近傍に、回動部材６の一端部側に形成した第１羽根操作部６ｃが係合可能な長孔状の第１操作部９ｂが形成され、第１支持部９ａから図示左方向に延びて第１遮蔽部９ｃが形成されている。
前記第１遮蔽部９ｃによって、開口部３ａの図示左略半分を遮蔽可能になっている。
【００２９】
また、ベース部材３の面積の小さい第２羽根摺動面３ｃ上には、外形が第１の羽根部材９と略対称形状の第２の羽根部材１０が載置され、この第２の羽根部材１０には、ベース部材３の第２羽根支持部３ｈに嵌合可能な丸穴状の第２支持部１０ａが形成され、第２支持部１０ａを第２羽根支持部３ｈに嵌合させて、第２羽根摺動面３ｃ上に載置した第２の羽根部材１０は、第２羽根支持部３ｈを支点として回動可能になっている。
また、第２の羽根部材１０には、第２支持部１０ａの図示右側近傍に、回動部材６の他端部側に形成した第２羽根操作部６ｅが係合可能な長孔状の第２操作部１０ｂが形成され、第２支持部１０ａから図示右方向に延びて第２遮蔽部１０ｃが形成されている。
前記第２遮蔽部１０ｃによって、開口部３ａの図示右側の略半分以上を遮蔽可能になっている。
【００３０】
また、第１、第２羽根摺動面３ｂ、３ｃ上を摺動して第１、第２の羽根部材９、１０が開口部３ａを遮蔽すると、第１の羽根部材９は、第１遮蔽部１０ｃが段差部３ｄに当接して回動が停止すると共に、第２の羽根部材１０は、第２遮蔽部１０ｃが第１の羽根部材９の第１遮蔽部９ｃ上に若干重なるようになっている。
そのために、回動する第１、第２の羽根部材９、１０が干渉するのを防止できると共に、開口部３ａを確実に遮蔽することができる。
【００３１】
また、第１、第２羽根摺動面３ｂ、３ｃ上に載置した第１、第２の羽根部材９、１０上には、ベース部材３の外径寸法と略同じ大きさの円形状に形成された鉄板等の磁性材料からなるトップカバー１１が配設されている。
前記トップカバー１１は、第２羽根摺動面３ｃ上に載置した第２の羽根部材１０に対して若干の隙間をもって配設されており、第１、第２の羽根部材９、１０が抵抗なくスムーズに摺動して回動するようになっている。
そのために、アクチュエータである回動部材６が小さな回動力でも、容易に第１、第２の羽根部材９、１０を回動させることができるようになっている。
【００３２】
また、トップカバー１１の中心部には、ベース部材３の開口部３ａより若干の聞く形成された開口１１ａが形成され、この開口１１ａの図示右側に第１楕円孔１１ｂが形成され、開口１１ａの図示手前側に第２楕円孔１１ｃが形成されている。前記第１楕円孔１１ｂに、回動部材６の第１羽根操作部６ｃが位置すると共に、第２楕円孔１１ｃに、回動部材６の第２羽根操作部６ｅが位置して、回動部材６が、シーソー状に所定の角度回動可能になっている。
【００３３】
また、第１楕円孔１１ｂに近接して第１孔１１ｄが形成され、第２楕円孔１１ｃに近接して第２孔１１ｅが形成されている。そして、第１孔１１ｄにベース部材３の第１羽根支持部３ｇが嵌合し、第２孔１１ｅに第２羽根支持部３ｈが嵌合して、トップカバー１１が回り止めされている。
また、トップカバー１１の外周部は、例えば図示を省略するが、第２摺動面３ｃより若干高く形成したベース部材３の外周壁３ｆに接着剤等で固定されるようになっている。
【００３４】
このような本発明の光量調整装置の動作を説明すると、まずコイル２に一方向の電流を通電することにより発生する磁束が、第１、第２マグネット７、８の一方と他方の磁極の磁束に作用することにより、回動部材６が支持部６ｆを支点として、第１、第２羽根操作部６ｃ、６ｅが、例えば時計回り方向に回動する。
すると、回動する第１、第２羽根操作部６ｃ、６ｅによって、第１、第２羽根支持部３ｇ、３ｈに支持した第１、第２の羽根部材９、１０が回動操作されて、開口部３ａを遮蔽する方向に回動する。
そして、遮蔽部９ｃが段差部３ｄに当接すると共に、第２の羽根部材１０の第２遮蔽部１０ｃが第１の羽根部材９の第１遮蔽部９ｃ上に若干重なって、第１、第２の羽根部材９、１０の回動が停止して、開口部３ａを完全に遮蔽するシャッタ動作が行われる。
【００３５】
また、開口部３ａを部分的に遮蔽する絞り動作を行う場合は、回動部材６の回動量を検出可能なホール素子等からなる位置検出手段（図示せず）を配設し、第１、第２の羽根部材９、１０が開口部３ａを所望の量絞り込んだことを位置検出手段が検出すると、コイル２に通電する電流量および通電方向を制御することにより回動部材６の動きをロックするようになっている。
【００３６】
本発明の光量調整装置は、回動部材６の重心位置、または重心位置に近い部分の回動基部６ａに、回動支点である支持部６ｆを形成しているので、外部から衝撃等が加わったとしても、回動部材６が回動するのを防止して、第１、第２羽根部材９、１０が回動するのを防止できる。
また、本発明の光量調整装置を誤って地面等に落下した場合に、例えばベース部材３の図示手前側が地面に衝突するような衝撃が加わったとすると、第１の羽根部材９には、開口部３ａを遮蔽する方向に回動させようとする力が働く。そのために、第１操作部９ｂに係合する第１羽根操作部６ｃには、図示奥側に回動させようとする力が加わる。
【００３７】
また、第２の羽根部材１０には、開口部３ａを開放する方向に回動させようとする力が働く。そのために、第２操作部１０ｂに係合する第２羽根操作部６ｅには、図示手前側に回動させようとする力が働く。
即ち、ベース部材１に一方向から衝撃力が加わったとしても、第１、第２の羽根部材９、１０によって衝撃力が相殺されて、回動部材６の動きを規制することができる。
【００３８】
また、第１、第２の羽根部材９、１０は、支点である第１、第２支持部９ａ、１０ａの近い位置に第１、第２操作部９ｂ、１０ｂを形成しているので、アクチュエータである回動部材６の小さな回動で、第１、第２の羽根部材９、１０を大きく回動させることができ、シャッタ速度を向上させることができる。
また、本発明の光量調整装置は、アクチュエータである１個の回動部材で２枚の羽根部材を回動させてシャッタ動作、または絞り動作を行うことができ、構造が簡単で操作性に優れている。
【図面の簡単な説明】
【００３９】
【図１】本発明の光量調整装置の分解斜視図である。
【図２】図１の要部斜視図である。
【図３】従来の光量調整装置の分解斜視図である。
【図４】図３要部分解斜視図である。
【符号の説明】
【００４０】
１  ボトムカバー
２  コイル
３  ベース部材
３ａ  開口部
３ｂ  第１羽根摺動面
３ｃ  第２羽根摺動面
３ｄ  段差部
３ｅ  突部
３ｆ  外周壁
３ｇ  第１羽根支持部
３ｈ  第２羽根支持部
４  保持部
５  桟部
５ａ  回動支持部
６  回動部材
６ａ  回動基部
６ｂ  第１腕部
６ｃ  第１羽根操作部
６ｄ  第２腕部
６ｅ  第２羽根操作部
７  第１マグネット
８  第２マグネット
９  第１の羽根部材
１０  第２の羽根部材
１１  トップカバー
【図１】
2006072021.tif 000003
【図２】
2006072021.tif 000004
【図３】
2006072021.tif 000005
【図４】
2006072021.tif 000006